(57)【要約】【課題】多条用の複数の肥料繰出部３８の送風圧力を均等に維持できるものでありながら、肥料を搬送するための送風構造等を簡単に構成できるようにした田植機を提供するものである。【解決手段】多条植え用の苗載台１６及び複数の植付爪１７を有する植付部１５と、多条施肥用の複数の肥料繰出部３８を有する施肥機３６とが走行車１に搭載され、送風機４１の送風によって、走行車１の左右幅方向に一列状に配置した複数の肥料繰出部３８から植付部１５に多条施肥用の複数の搬送ホース４０を介して肥料を搬送するように構成してなる田植機において、送風機４１から施肥機３６に送風する左右のエアダクト４２を備え、送風機４１の送風用のファンケース８３から延長した排気ダクト部８３ａを左右に分岐させることによって、排気ダクト部８３ａに左右の送風口８７を形成し、左右の送風口８７に左右のエアダクト４２をそれぞれ接続したものである。【選択図】図１２
2007089595.tif 000002
【特許請求の範囲】
【請求項１】
多条植え用の苗載台及び複数の植付爪を有する植付部と、多条施肥用の複数の肥料繰出部を有する施肥機とが走行車に搭載され、送風機の送風によって、前記走行車の左右幅方向に一列状に配置した前記複数の肥料繰出部から前記植付部に多条施肥用の複数の搬送ホースを介して肥料を搬送するように構成してなる田植機において、
前記送風機から前記施肥機に送風する左右のエアダクトを備え、前記送風機の送風用のファンケースから延長した排気ダクト部を左右に分岐させることによって、前記排気ダクト部には左右の送風口を形成し、前記左右の送風口に前記左右のエアダクトをそれぞれ接続したことを特徴とする田植機。
【請求項２】
前記走行車の左右幅の略中央位置で、前記施肥機より前方に、前記排気ダクト部を配置し、前記走行車の左右幅の略中央位置で、前記排気ダクト部に一対の前記左右の送風口を介して前記左右のエアダクトの一端側をそれぞれ接続するように構成したことを特徴とする請求項１に記載の田植機。
【請求項３】
前記走行車の左右方向に略一直線状に一対の前記左右のエアダクトを左右対称形状に延長させ、前記走行車の左右幅の略中央位置で、一対の前記左右の送風口に、前記左右のエアダクトの一端側をそれぞれ接続するように構成したことを特徴とする請求項１に記載の田植機。
【発明の詳細な説明】
【技術分野】
【０００１】
本発明は、苗載台及び植付爪を備えて連続的に苗植作業を行うと共に、植付条の側方に施肥を行う田植機に係り、より詳しくは、送風機の送風によって、複数の肥料繰出部から植付部に複数の搬送ホースを介して肥料を搬送する田植機に関するものである。
【背景技術】
【０００２】
従来、一般に、走行車に植付部と施肥機とを搭載した田植機は、苗植作業中、送風機の空気送給管からの送風によって、施肥機の施肥ホッパ内の肥料を搬送して、植付部の植付爪によって苗を植付けながら、その植付条の側方に施肥するように構成している。
【０００３】
この場合、従来の田植機においては、肥料繰出部の下側に空気送給管を左右長手方向に配設し、空気送給管と多条用の複数の肥料繰出部を接続させると共に、空気送給管の一側端に送風機を取付けるという構成にしている（特許文献１参照）。また、走行車の左右幅方向に一列状に配置した複数の肥料繰出部に、複数のエアダクトを介して送風機から送風する技術も公知である（特許文献２参照）。
【特許文献１】特開平７−３１２９４０号公報
【特許文献２】特開昭６１−１１１６１７号公報
【発明の開示】
【発明が解決しようとする課題】
【０００４】
前記従来技術は、大径の空気送給管を用いたり、複数の肥料繰出部と同数の空気送給管を用いたり、送風機の送風量を多くして、多条用の複数の肥料繰出部の送風圧力を均等にする必要があり、肥料を搬送する送風構造等を簡単に構成できない等の問題がある。
【０００５】
本発明の目的は、多条用の複数の肥料繰出部の送風圧力を均等に維持できるものでありながら、肥料を搬送するための送風構造等を簡単に構成できるようにした田植機を提供するものである。
【課題を解決するための手段】
【０００６】
前記目的を達成するため、請求項１に係る発明の田植機は、多条植え用の苗載台及び複数の植付爪を有する植付部と、多条施肥用の複数の肥料繰出部を有する施肥機とが走行車に搭載され、送風機の送風によって、前記走行車の左右幅方向に一列状に配置した前記複数の肥料繰出部から前記植付部に多条施肥用の複数の搬送ホースを介して肥料を搬送するように構成してなる田植機において、前記送風機から前記施肥機に送風する左右のエアダクトを備え、前記送風機の送風用のファンケースから延長した排気ダクト部を左右に分岐させることによって、前記排気ダクト部に左右の送風口を形成し、前記左右の送風口に前記左右のエアダクトをそれぞれ接続したものである。
【０００７】
請求項２に記載の発明は、請求項１に記載の田植機において、前記走行車の左右幅の略中央位置で、前記施肥機より前方に、前記排気ダクト部を配置し、前記走行車の左右幅の略中央位置で、前記排気ダクト部に前記左右の送風口を介して前記左右のエアダクトの一端側をそれぞれ接続するように構成したものである。
【０００８】
請求項３に記載の発明は、請求項１に記載の田植機において、前記走行車の左右方向に略一直線状に一対の前記左右のエアダクトを左右対称形状に延長させ、前記走行車の左右幅の略中央位置で、一対の前記左右の送風口に、前記左右のエアダクトの一端側をそれぞれ接続するように構成したものである。
【発明の効果】
【０００９】
請求項１に係る発明によれば、多条植え用の苗載台及び複数の植付爪を有する植付部と、多条施肥用の複数の肥料繰出部を有する施肥機とが走行車に搭載され、送風機の送風によって、前記走行車の左右幅方向に一列状に配置した前記複数の肥料繰出部から前記植付部に多条施肥用の複数の搬送ホースを介して肥料を搬送するように構成してなる田植機において、前記送風機から前記施肥機に送風する左右のエアダクトを備え、前記送風機の送風用のファンケースから延長した排気ダクト部を左右に分岐させることによって、前記排気ダクト部に左右の送風口を形成し、前記左右の送風口に前記左右のエアダクトをそれぞれ接続したものであるから、施肥機の一側方に配置した送風機から１本のエアダクトを介して全ての肥料繰出部に送風する従来の構造に比べ、多条用の前記複数の肥料繰出部の送風圧力を均等に維持できる。また、多条施肥用の複数の肥料繰出部と同数のエアダクトを介して、送風機から多条施肥用の複数の肥料繰出部に送風する従来の構造に比べ、肥料を搬送するための前記エアダクト等の送風構造を簡単に構成できるものである。
【００１０】
請求項２に係る発明によれば、前記走行車の左右幅の略中央位置で、前記施肥機より前方に、前記排気ダクト部を配置し、前記走行車の左右幅の略中央位置で、前記排気ダクト部に前記左右の送風口を介して前記左右のエアダクトの一端側をそれぞれ接続するように構成したものであるから、多条施肥用の前記複数の肥料繰出部及び前記左右のエアダクト等を左右対称に配置して、前記左右のエアダクトの送風圧力を略均等に維持でき、前記左右のエアダクトへの送風圧力差を簡単に低減できる。その結果、前記送風機から前記左右のエアダクトを介して前記複数の肥料繰出部に均等に送風でき、多条施肥用の前記複数の肥料繰出部から前記植付部に肥料を搬送するための各送風圧力を略均等に維持できる。したがって、多条施肥用の前記複数の肥料繰出部から前記植付部の各植付条の側方の田面に略同一タイミングで肥料をそれぞれ搬送できるものである。
【００１１】
請求項３に係る発明によれば、前記走行車の左右方向に略一直線状に一対の前記左右のエアダクトを左右対称形状に延長させ、前記走行車の左右幅の略中央位置で、一対の前記左右の送風口に、前記左右のエアダクトの一端側をそれぞれ接続するように構成したものであるから、前記左右のエアダクトの送風圧力を略均等に維持でき、前記左右のエアダクトへの送風圧力差を簡単に低減できる。その結果、前記送風機から前記左右のエアダクトを介して前記複数の肥料繰出部に均等に送風でき、多条施肥用の前記複数の肥料繰出部から前記植付部に肥料を搬送するための各送風圧力を略均等に維持できる。したがって、多条施肥用の前記複数の肥料繰出部から前記植付部の各植付条の側方の田面に略同一タイミングで肥料をそれぞれ搬送できるものである。
【発明の実施の形態】
【００１２】
以下、本発明の実施例を図面に基づいて詳述する。図１は乗用田植機の側面図、図２は同平面図を示し、図中１は作業者が搭乗する走行車であり、エンジン２を車体フレーム３前部上方に搭載させ、ミッションケース４前方にフロントアクスルケース５を介して水田走行用前輪６を支持させると共に、前記ミッションケース４の後部にリヤアクスルケース７を連設し、前記リヤアクスルケース７に水田走行用後輪８を支持させる。そして前記エンジン２等を覆うボンネット９両側に予備苗載台１０を取付けると共に、足掛台１１を介して作業者が搭乗するステップである車体カバー１２によって前記ミッションケース４等を覆い、前記車体カバー１２上部に運転席１３を取付け、その運転席１３の前方で前記ボンネット９後部に操向ハンドル１４を設ける。
【００１３】
また、図中１５は６条植え用の苗載台１６並びに複数の植付爪１７などを具備する植付部であり、前高後低の合成樹脂製の前傾式苗載台１６を下部レール１８及びガイドレール１９を介して植付ケース２０に左右往復摺動自在に支持させると共に、一方向に等速回転させるロータリケース２１を前記植付ケース２０に支持させ、該ケース２１の回転軸芯を中心に対称位置に一対の爪ケース２２を配設し、その爪ケース２２先端に植付爪１７を取付ける。また前記植付ケース２０の前側にローリング支点軸２３を介して支持フレーム２４を設け、トップリンク２５及びロワーリンク２６を含むリンク機構２７を介して走行車１後側に支持フレーム２４を連結させ、前記リンク機構２７を介して植付部１５を昇降させる昇降シリンダ２８をロワーリンク２６に連結させ、前記前後輪６８を走行駆動して移動すると同時に、左右に往復摺動させる苗載台１６から一株分の苗を植付爪１７によって取出し、連続的に苗植え作業を行うように構成する。
【００１４】
また、図中２９は主変速レバー、３０は植付昇降兼作業走行変速用副変速レバー、３１は植付け感度設定器、３２は主クラッチペダル、３３は左右ブレーキペダル、３４は２条分均平用センターフロート、３５は２条分均平用サイドフロート、３６は６条用の施肥機である。
【００１５】
さらに、図３、図４、図５、図６に示す如く、肥料を入れる施肥ホッパ３７と、肥料を定量供給する肥料繰出部である肥料繰出ケース３８と、フロート３４，３５の側条作溝器３９にフレキシブルパイプ製搬送ホース４０を介して肥料を排出させるターボブロワー型送風機４１と、中空形の肥料搬送空気送給用エアダクト４２とを、前記施肥部３６に備えると共に、運転席１３前側に送風機４１を取付け、６条分６組の肥料繰出ケース３８にエアダクト４２を接続させている。
【００１６】
また、前記車体フレーム３後端の左右支柱４３上端間に横架する水平フレーム４４両側に左右ベースフレーム４５を取付け、前後方向に略水平に横架させる前記ベースフレーム４５を介して施肥部３６を設けると共に、ベースフレーム４５後端部と車体フレーム３間にサイドステー４６を連結させ、左右ベースフレーム４５に縦フレーム４７を立設させて中央の受板４８と左右の受板４９を支持させるもので、中央及び左右受板４８，４９の上部前側を丸パイプ形の前フレーム５０で、また上部後側を四角パイプ形の後フレーム５１で一体固定させて、前後フレーム５０，５１に６組の繰出ケース３８を固定支持させる。
【００１７】
さらに、前記繰出ケース３８の上面前側の取入口５２に前記ホッパ３７の下部出口５３を嵌着させると共に、前記繰出ケース３８前面下側に取出口５４を形成し、着脱自在なキャップ５５によって取出口５４を閉塞している。
【００１８】
また、前記繰出ケース３８下面に底蓋５６を着脱自在に固定させると共に、硬質合成樹脂製の前記底蓋５６下面に出口５７を形成するもので、前記エアダクト４２に前端部を嵌着させる軟質合成樹脂製の接合パイプ５８を備え、該パイプ５８後端に硬質合成樹脂製のホースジョイント５９前端を着脱自在に嵌着させると共に、前記ジョイント５９後端に前記搬送ホース４０を嵌着させ、前記送風機４１の送風をエアダクト４２からホースジョイント５９及びホース４０に吹出させ、底蓋５６の出口５７からジョイント５９中間に落下する肥料を搬送ホース４０に移動させるもので、Ｔ字形フランジを形成する前記ジョイント５９中間に入口６０を上向き開放に形成し、底蓋５６の出口５７に嵌合キャップ６１を固定させ、該キャップ６１を前記入口６０の外壁に着脱自在に嵌着させ、出口５７を入口６０に接続させている。
【００１９】
さらに、取入口６２を有する入口板６４と、同一円周上に略四角形の複数の繰出口６５を有する繰出ロールである繰出板６６と、排出口６７を有する出口板６８を備え、略円形平板製の前記各板６４，６６，６８を繰出ケース３８と底蓋５６の間に多層状に配設させると共に、繰出ケース３８に繰出軸６９を略垂直に回転自在に軸支させ、各板６４，６６，６８の中央部に繰出軸６９下端側を貫通させ、各板６４，６６，６８を下方に抜出し自在に繰出軸６９に支持させ、各板６４，６６，６８を繰出ケース３８と底蓋５６間に弾圧させるもので、入口板６４と出口板６８を繰出ケース３８に係止させ、各板６４，６８に対して繰出軸６９を遊転させると共に、繰出板６６を繰出軸６９に係合軸支させ、繰出軸６９によって繰出板６６を強制的に回転させ、取入口６２から繰出口６５に入った肥料を排出口６７に移動させて出口５７方向に落下させるように構成している。また、前記繰出軸６９にバネ製掻落し棒７０を固定させ、底蓋５６及び出口５７の肥料を落下させる。
【００２０】
さらに、前記エンジン２出力を植付部１５に伝達させるＰＴＯ軸７１をミッションケース４から後方に延出させると共に、前記左支柱４３に軸受ケース７２を溶接またはボルト止め固定させ、軸受ケース７２の入力軸７３を前記ＰＴＯ軸７１中間にチェン７４を介して連動連結させ、軸受ケース７２の出力軸７５後端部に１対のベベルギヤ７６を介して繰出用駆動部材である縦駆動軸７７を略垂直に連動連結させている。また、背面視で左側から２組目と３組目の繰出ケース３８間に縦駆動軸７７上端を臨ませ、前記繰出軸６９に１対のベベルギヤ７８を介し連動連結する左右方向に長手状の繰出入力軸７９に、前記縦駆動軸７７の上端を１対のベベルギヤ８０を介して連動連結させる。そして、前記ＰＴＯ軸７１の回転によって入力軸７９を介して繰出軸６９を回転させて肥料の繰出しを行うように構成している。また、前記縦駆動軸７７の中間に無段変速機構であるリングコーン無段変速機８１を介設させ、前記繰出軸６９の回転を無段変速させ、繰出ケース３８から繰出される肥料の繰出量を調節するように構成している。
【００２１】
さらに、図２、図６、図７に示す如く、送風ファン８２を内設させるファンケース８３と、前記送風ファン８２を駆動する電動送風モータ８４を、前記送風機４１に備えるもので、前記運転席１３下方の車体カバー１２内部に補助車体フレーム８５を介してファンケース８３を固定させ、ファンケース８３上面に送風モータ８４を取付け、ファンケース８３下面に吸込口８６を下向きに開口させ、ファンケース８３後面に吐出口８７を形成し、前記エアダクト４２を吐出口８７に接続させ、運転席１３後方の車体カバー１２上面のスペースを利用してエアダクト４２を施肥機３６全幅に末広がり形に延設させる。
【００２２】
また、前後フレーム５０、５１と同様に前記受板４８、４９に四角パイプ形の下フレーム８８を一体固定させ、下フレーム８８に係合板８９を着脱自在にボルト止め固定させ、係合板８９の下向き開口ノッチ９０にホースジョイント５９を下方から係入させて着脱自在にボルト止め固定させ、下フレーム８８から係合板８９を取外す操作、または係合板８９からホースジョイント５９を取外す操作のいずれかにより、エアダクト４２から接合パイプ５８を抜取ってホースジョイント５９を底蓋５６から離反させ、底蓋５６を取外して繰出ケース３８の掃除などを行うように構成している。
【００２３】
また、走行車１の左右幅中央で運転席１３下方の車体カバー１２内部に送風機４１を配設させ、上下幅を略均一形成するエアダクト４２前部の吐出口８７連結部に対し、接合パイプ５８を接続させるエアダクト４２後部を平面視で末広がり形に形成し、エアダクト４２の前側に対して後側の断面積を連続的に大きく形成し、エアダクト４２の管内空気抵抗を全体が同一大きさのものに比べて小さくし、６条分の各搬送ホース４０への送風量が略等しくなるように構成している。さらに、送風機４１によるエアダクト４２の送風方向と、搬送ホース４０の肥料搬送方向を略一致させ、ホースジョイント５９を介して分岐ホース４２と搬送ホース４０を一直線形に接続させ、送風機４１の吐出口８７乃至ホースジョイント５９間の送風圧力損失を低減できると共に、車体カバー１２によって送風機４１上面側を遮閉させ、雨天作業時または洗車時にファンケース８３内に水が入るのを防いでいる。
【００２４】
また、前記エアダクト４２の末広がり後部両側に開閉自在な蓋９１を取付け、蓋９１を取外してエアダクト４２内部の掃除を行うと共に、車体フレーム３に固定させたミッションケース４上面に向けて吸込口８６を開口させ、吸込口８６開口部下方をミッションケース４によって遮閉させ、吸込口８６からファンケース８３内部に水または泥土が入るのを防いでいる。
【００２５】
上記から明らかなように、機体後部に施肥機３６を装備させる田植機において、施肥機３６の肥料繰出部である肥料繰出ケース３８よりも前方で機体中央部に施肥用送風機４１を設置させ、従来の機体外側設置構造のように機体内外に送風機４１を出入させる必要がなく、送風機４１の衝突防止または浸水防止を図ることなく輸送または洗車などを行えると共に、両側の肥料繰出ケース３８と送風機４１の接続距離を短縮して送風抵抗の低減並びに肥料搬送風の安定供給などを図るもので、施肥用送風機４１を運転席１３の下方に設置させ、衝突等によって損傷させる不具合、雨水または洗車水が入り込む不具合、並びに運転席１３回りでの作業者の移動が制限される不具合などをなくし、送風機４１取付け構造の簡略化並びに作業性向上などを図る。
【００２６】
また、施肥用送風機４１を本機ステップである車体カバー１２の内部に設置させ、衝突等によって損傷させる不具合、雨水または洗車水が入り込む不具合、並びに運転席１３回りでの作業者の移動が制限される不具合などをなくし、送風機４１取付け構造の簡略化並びに作業性向上などを図ると共に、肥料繰出ケース３８に接続させる施肥用送風機４１の送風管であるエアダクト４２を出口側の断面が末広がり形に大きくなるように形成し、前記エアダクト４２内部の送風抵抗を少なくして送風圧力損失を低減し、送風機４１の小型軽量化並びに肥料搬送風力の確保などを図る。
【００２７】
また、施肥用送風機４１の送風モータ８４を吸込口８６及び吐出口８７よりも高位置に配設させ、送風モータ８４と送風ファン８２の間に放熱間隙を形成しても送風モータ８４に浸水する不具合がなくなり、送風モータ８４の空冷構造または防水構造などの簡略化を図れると共に、施肥用送風機４１の吸込口８６を車体カバー１２下面側の内部に設け、吸込口８６の防水カバーとして車体カバー１２を兼用し、雨天作業時または洗車時に吸込口８６に水が吸込まれる不具合をなくし、雨天作業用の防水カバーを省略し、取扱い操作性の向上などを図る。また、施肥用送風機４１の肥料搬送風吐出方向と肥料繰出ケース３８からの肥料搬送方向を一致させ、従来の肥料搬送風吐出方向が機体左右方向で肥料搬送方向が機体後向きに形成された構造に比べ、送風抵抗を少なくして送風圧力損失を低減し、送風効率の向上並びに送風動力の低減などを図る。
【００２８】
さらに、図８、図９に示す如く、前記車体フレーム３上面と運転席１３下面の間に送風機４１を縦形に略垂直に設け、平面視で二等辺三角形状のエアダクト４２の頂角部に送風機４１の吐出口８７を接続させ、エアダクト４２の底辺部に６条分の肥料繰出ケース３８を配置させて各ホースジョイント５９を接続させるもので、エアダクト４２の容積を図４及び図７のものよりも大きく形成し、６条分の肥料搬送ホース４０の送風圧力を略均等に保つと共に、エアダクト４２全体を側面視で前低後高に傾斜させ、エアダクト４２の末広がり後側内部に肥料または埃が留まるのを防いでいる。
【００２９】
さらに、図１０、図１１に示す如く、運転席１３後側の車体カバー１２上面に送風機４１を設置させ、平面視山形に配置させる左右の送風管形エアダクト４２に６条分の肥料繰出ケース３８を配設させるもので、６条分のエアダクト４２の中間に送風機４１を設け、側面視で前高後低にエアダクト４２を傾斜させ、エアダクト４２前部高位置に送風機４１を接続させ、エアダクト４２後部低位置に前高後低のホースジョイント５９を介して搬送ホース４０を設け、送風機４１の吐出口８７乃至搬送ホース４０を側面視で略一直線形に接続させ、搬送ホース４０に至る送風損失を低減させる。また、施肥機３６の肥料繰出部である肥料繰出ケース３８よりも前方で機体中央部に施肥用送風機４１を設置させた構造において、図１２のように、走行車１の左右幅の略中央位置で、施肥機３６より前方に、排気ダクト部８３ａを配置した構造であって、送風機４１の送風用のファンケース８３から延長した排気ダクト部８３ａを左右に分岐させることによって、ファンケース８３に連通した左右の送風口（吐出口）８７を形成し、ファンケース８３に連通した一対の左右の吐出口８７に一対の左右のエアダクト４２を接続させたり、図１３のように、ファンケース８３の吐出口８７に対向させてエアダクト４２内部に左右分配用突条形仕切４２ａを形成し、６条分のエアダクト４２を左右３条に中央部で分割し、吐出口８７に近い中央寄りの搬送ホース４０と離れた側方の搬送ホース４０の送風圧力差を従来の単一エアダクト構造よりも小さくし、６条の各肥料搬送用送風圧力を均等にし、かつ送風損失を低減して送風機の小型化を図る。
【００３０】
上記から明らかなように、機体後部に施肥機３６を装備させる田植機において、施肥機３６の肥料繰出部３８よりも前方で機体中央部に施肥用送風機４１を設置させたもので、従来の機体外側設置構造のように機体内外に送風機４１を出入させる必要がなく、送風機４１の衝突防止または浸水防止を図ることなく輸送または洗車などを容易に行うことができると共に、両側の肥料繰出部３８と送風機４１の接続距離を短縮して送風抵抗の低減並びに肥料搬送風の安定供給などを容易に図ることができるものである。
【００３１】
また、施肥用送風機４１を運転席１３の下方に設置させたもので、衝突等によって損傷させる不具合、雨水または洗車水が入り込む不具合、並びに運転席１３回りでの作業者の移動が制限される不具合などを容易になくすことができ、送風機４１取付け構造の簡略化並びに作業性向上などを容易に図ることができるものである。
【００３２】
また、施肥用送風機４１を本機ステップ１２の内部に設置させたもので、衝突等によって損傷させる不具合、雨水または洗車水が入り込む不具合、並びに運転席１３回りでの作業者の移動が制限される不具合などを容易になくすことができ、送風機４１取付け構造の簡略化並びに作業性向上などを容易に図ることができるものである。
【００３３】
また、肥料繰出部３８に接続させる施肥用送風機４１の送風管４２を出口側の断面が末広がり形に大きくなるように形成したもので、前記送風管４２内部の送風抵抗を少なくして送風圧力損失を容易に低減でき、送風機４１の小型軽量化並びに肥料搬送風力の確保などを容易に図ることができるものである。
【００３４】
また、施肥用送風機４１の送風モータ８４を吸込口８６及び吐出口８７よりも高位置に配設させたもので、送風モータ８４と送風ファン８２の間に放熱間隙を形成しても送風モータ８４に浸水する不具合を容易になくすことができ、送風モータ８４の空冷構造または防水構造などの簡略化を容易に図ることができるものである。
【００３５】
また、施肥用送風機４１の吸込口８６を本機ステップ１２の内部に設けたもので、吸込口８６の防水カバーとして本機ステップ１２を兼用でき、雨天作業時または洗車時に吸込口８６に水が吸込まれる不具合を容易になくすことができ、雨天作業用の防水カバーを省略でき、取扱い操作性の向上などを容易に図ることができるものである。
【００３６】
また、施肥用送風機４１の肥料搬送風吐出方向と肥料繰出部３８からの肥料搬送方向を一致させたもので、従来の肥料搬送風吐出方向が機体左右方向で肥料搬送方向が機体後向きに形成された構造に比べ、送風抵抗を少なくして送風圧力損失を容易に低減でき、送風効率の向上並びに送風動力の低減などを容易に図ることができるものである。
【００３７】
上記の記載及び図１２から明らかなように、請求項１に係る発明は、多条植え用の苗載台１６及び複数の植付爪１７を有する植付部１５と、多条施肥用の複数の肥料繰出部としての肥料繰出ケース３８を有する施肥機３６とが走行車１に搭載され、送風機４１の送風によって、走行車１の左右幅方向に一列状に配置した複数の肥料繰出ケース３８から植付部１５に多条施肥用の複数の搬送ホース４０を介して肥料を搬送するように構成してなる田植機において、送風機４１から施肥機３６に送風する左右のエアダクト４２を備え、送風機４１の送風用のファンケース８３から延長した排気ダクト部８３ａを左右に分岐させることによって、排気ダクト部８３ａに左右の送風口（吐出口）８７を形成し、左右の送風口（吐出口）８７に左右のエアダクト４２をそれぞれ接続したものであるから、施肥機の一側方に配置した送風機から１本のエアダクトを介して全ての肥料繰出部に送風する従来の構造に比べ、多条用の複数の肥料繰出ケース３８の送風圧力を均等に維持できる。また、多条施肥用の複数の肥料繰出部と同数のエアダクトを介して、送風機から多条施肥用の複数の肥料繰出部に送風する従来の構造に比べ、肥料を搬送するためのエアダクト４２等の送風構造を簡単に構成できるものである。
【００３８】
請求項２に係る発明によれば、走行車１の左右幅の略中央位置で、施肥機３６より前方に、排気ダクト部８３ａを配置し、走行車１の左右幅の略中央位置で、排気ダクト部８３ａに一対の左右の送風口８７を介して左右のエアダクト４２の一端側をそれぞれ接続するように構成したものであるから、多条施肥用の複数の肥料繰出ケース３８及び左右のエアダクト４２等を左右対称に配置して、左右のエアダクト４２の送風圧力を略均等に維持でき、左右のエアダクト４２への送風圧力差を簡単に低減できる。その結果、送風機４１から左右のエアダクト４２を介して複数の肥料繰出ケース３８に均等に送風でき、多条施肥用の複数の肥料繰出ケース３８から植付部１５に肥料を搬送するための各送風圧力を略均等に維持できる。したがって、多条施肥用の複数の肥料繰出ケース３８から植付部１５の各植付条の側方の田面に略同一タイミングで肥料をそれぞれ搬送できるものである。
【００３９】
請求項３に係る発明は、走行車１の左右方向に略一直線状に一対の左右のエアダクト４２を左右対称形状に延長させ、走行車１の左右幅の略中央位置で、一対の左右の送風口８７に、左右のエアダクト４２の一端側をそれぞれ接続するように構成したものであるから、左右のエアダクト４２の送風圧力を略均等に維持でき、左右のエアダクト４２への送風圧力差を簡単に低減できる。その結果、送風機４１から前記左右のエアダクト４２を介して複数の肥料繰出部３８に均等に送風でき、多条施肥用の複数の肥料繰出部３８から前記植付部１５に肥料を搬送するための各送風圧力を略均等に維持できる。したがって、多条施肥用の前記複数の肥料繰出部３８から植付部１５の各植付条の側方の田面に略同一タイミングで肥料をそれぞれ搬送できるものである。
【図面の簡単な説明】
【００４０】
【図１】乗用田植機の全体側面図である。
【図２】乗用田植機の全体平面図である。
【図３】植付部の側面図である。
【図４】施肥部の平面図である。
【図５】施肥部の背面図である。
【図６】施肥部の断面側面図である。
【図７】施肥機の側面説明図である。
【図８】図４の変形例を示す平面図である。
【図９】同側面説明図である。
【図１０】図４の他の変形例を示す平面図である。
【図１１】同側面図である。
【図１２】同送風機部の説明図である。
【図１３】同送風機部の説明図である。
【符号の説明】
【００４１】
１  走行車
１５  植付部
１６  苗載台
１７  植付爪
３６  施肥機
３８  肥料繰出ケース（肥料繰出部）
４０  搬送ホース
４１  送風機
４２  エアダクト
８３  ファンケース
８３ａ排気ダクト部
８７  吐出口（送風口）
【図１】
2007089595.tif 000003
【図２】
2007089595.tif 000004
【図３】
2007089595.tif 000005
【図４】
2007089595.tif 000006
【図５】
2007089595.tif 000007
【図６】
2007089595.tif 000008
【図７】
2007089595.tif 000009
【図８】
2007089595.tif 000010
【図９】
2007089595.tif 000011
【図１０】
2007089595.tif 000012
【図１１】
2007089595.tif 000013
【図１２】
2007089595.tif 000014
【図１３】
2007089595.tif 000015